(57)【要約】【目的】ユーザにおける地域対応切替意志を尊重しつつ切替指令があったときに即座に地域対応切替が行える移動体用ディジタル放送受信装置を提供する。【構成】地上ディジタルテレビ放送波を受信する第１受信装置３０がユーザ操作で起動された場合、地上ディジタルラジオ放送波を受信する第２受信装置３１の動作は必要ないところであるが、この第２受信装置３１においてチャンネルサーチ及び情報分離を実行する。すなわち、第１受信装置３０によるユーザへのテレビ番組提供中において、第２受信装置３１は受信エリアの変化に対応すべく放送受信のための情報の取得を行う。ユーザがリモコン送信機１０等を用いて地域対応切替指令を行うと、ＣＰＵ８は取得しておいたその地における放送受信のための情報に基づいてチューナ２において受信周波数切替処理を実行する。【選択図】　　　　　　　　図１
2004064590.tif 000002
【特許請求の範囲】
【請求項１】
地上ディジタル放送波を受信する二以上の受信部と、ユーザへの情報提示に供している受信部の側でユーザによる地域対応切替指令がなされたときにその地における放送受信のための情報に基づいて受信周波数切替処理を行う手段と、ユーザへの情報提示に供していない方の受信部にてその地における放送受信のための情報を取得しておくように制御する手段と、を備えたことを特徴とする移動体用ディジタル放送受信装置。
【請求項２】
地上ディジタル放送波を受信する二以上の受信部と、ユーザへの情報提示に供している方の受信部における受信コンディションを検出する手段と、前記受信コンディションの変化に対応してユーザへメッセージを提示する手段と、ユーザによる地域対応切替指令がなされたときにその地における放送受信のための情報に基づいて受信周波数切替処理を行う手段と、ユーザへの情報提示に供していない方の受信部にてその地における放送受信のための情報を取得しておくように制御する手段と、を備えたことを特徴とする移動体用ディジタル放送受信装置。
【請求項３】
請求項１又は請求項２に記載の移動体用ディジタル放送受信装置において、選択し得る放送の一覧を画面表示する手段を備えたことを特徴とする移動体用ディジタル放送受信装置。
【請求項４】
請求項３に記載の移動体用ディジタル放送受信装置において、放送波から地域特定に関する情報を取得し、選択し得る放送の一覧に地域表示を行うように構成したことを特徴とする移動体用ディジタル放送受信装置。
【発明の詳細な説明】
【０００１】
【産業上の利用分野】
この発明は、自動車等の移動体に搭載されて利用される移動体用ディジタル放送受信装置に関する。
【０００２】
【従来の技術】
地上波ディジタル放送はアナログ地上波にみられるように各地に配置された複数の放送局によって放送を行うことを予定しており、衛星ディジタル放送のような一元放送とはならない。すなわち、地上波ディジタル放送においても、アナログ方式と同様に放送周波数配置は各放送局によって異なることになる。このため、ディジタル放送受信装置が自動車等の移動体に搭載されて移動しながら放送波を受信する場合、受信可能な放送は次々に変化すると共に受信地域が重複している場合などにおいて受信状態が安定しない場合が多くなると予想される。
【０００３】
特開平１０−３００４８５号公報（ＩＰＣ：Ｇ０１Ｃ　２１／００）に記載されたナビゲーション装置は、ディジタルラジオ放送の受信手段とＧＰＳによる位置検出手段とを備えており、位置検出手段で取得した位置情報と、ディジタルラジオ受信手段で取得した交通情報とを表示装置に表示することができる。
【０００４】
また、特開平２００１−１６９１９５号公報（ＩＰＣ：Ｈ０４Ｎ　５／４４）に記載の受信装置及びテレビジョン受信機及び受信方法は、ディジタル放送の受信手段と、アナログ放送の受信手段と、ＧＰＳによる位置検出手段とを備えており、位置検出手段で取得した位置情報及びアナログ放送波及びディジタル放送波の受信強度に基づいて最適な受信状態を決定する手段を有したものである。
【０００５】
【発明が解決しようとする課題】
特開平１０−３００４８５号公報に開示された技術では、位置検出手段で得た情報は選局処理には利用されておらず、受信状態の変化に対応できる受信動作を行うことができない。特開平２００１−１６９１９５号公報に開示された技術では、複数の放送が受信可能な地域において、ユーザは現在視聴の放送を継続して視聴したいにもかかわらず、例えば現在視聴の放送の受信レベルよりも別の放送の受信レベルが高くなったとき等に自動的に別の放送の受信に切り替わってしまうといった不満を生じてしまう。
【０００６】
この発明は、上記の事情に鑑み、ユーザにおける地域対応切替意志を尊重しつつ切替指令があったときには即座に地域対応切替が行える移動体用ディジタル放送受信装置を提供することを目的とする。
【０００７】
【課題を解決するための手段】
この発明の移動体用ディジタル放送受信装置は、上記課題を解決するために、地上ディジタル放送波を受信する二以上の受信部と、ユーザへの情報提示に供している受信部の側でユーザによる地域対応切替指令がなされたときにその地における放送受信のための情報に基づいて受信周波数切替処理を行う手段と、ユーザへの情報提示に供していない方の受信部にてその地における放送受信のための情報を取得しておくように制御する手段と、を備えたことを特徴とする。
【０００８】
上記の構成であれば、ユーザが地域対応切替指令を行ったときには、ユーザへの情報提示に供していない方の受信部にて事前に取得しておいたその地における放送受信のための情報に基づいて直ちに受信周波数切替処理が行われることになる。すなわち、ユーザの地域対応切替意志を尊重しつつ切替指令があったときには即座に地域対応切替が行えることになる。
【０００９】
また、この発明の移動体用ディジタル放送受信装置は、地上ディジタル放送波を受信する二以上の受信部と、ユーザへの情報提示に供している方の受信部における受信コンディションを検出する手段と、前記受信コンディションの変化に対応してユーザへメッセージを提示する手段と、ユーザによる地域対応切替指令がなされたときにその地における放送受信のための情報に基づいて受信周波数切替処理を行う手段と、ユーザへの情報提示に供していない方の受信部にてその地における放送受信のための情報を取得しておくように制御する手段と、を備えたことを特徴とする。
【００１０】
上記の構成であれば、受信コンディションが悪化した場合に例えば「受信レベルが低下しましたのでエリア変更対応が必要です」といったメッセージがユーザに提示され、ユーザが地域対応切替指令を行ったときには、ユーザへの情報提示に供していない方の受信部にて事前に取得しておいたその地における放送受信のための情報に基づいて直ちに受信周波数切替処理が行われることになる。すなわち、ユーザの地域対応切替意志を尊重しつつ切替指令があったときには即座に地域対応切替が行えることになる。
【００１１】
選択し得る放送の一覧を画面表示する手段を備えるのがよい。また、かかる構成において、放送波から地域特定に関する情報を取得し、選択し得る放送の一覧に地域表示を行うように構成されているのがよい。例えば、○○放送（大阪）と○○放送（京都）が表示されることになり、この場合において、移動体が京都から大阪方面へと向かっているであれば、ユーザは○○放送（大阪）を選択することで、適切な地域対応切替が行われたことになる。
【００１２】
【発明の実施の形態】
以下、この発明の実施形態を図１乃至図５に基づいて説明する。図１はこの実施形態の移動体用ディジタル放送受信システムを示したブロック図であり、図２は受信エリアの一例を示した説明図であり、図３は各エリアの受信強度を例示した説明図であり、図４は選局時の操作及び操作画面内容を示した説明図であり、図５は制御内容を示したフローチャートである。
【００１３】
この実施形態の移動体用ディジタル放送受信システムは、図１に示すように、地上波ディジタルテレビ放送を受信する第１受信装置３０と地上波ディジタルラジオ放送を受信する第２受信装置３１とから成る。
【００１４】
第１受信装置３０において、アンテナ１は地上放送局から送られてくるディジタル放送信号を受信し、受信した信号をチューナ２に与える。
【００１５】
チューナ２は、映像・音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポート・ストリームを出力する。
【００１６】
デマルチプレクサ（ＤＥＭＵＸ）３は、ＣＰＵ８の指令に基づき、チューナ２からのトランスポート・ストリームを入力し、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、およびＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）等の付属情報に分離する。デマルチプレクサ３はビデオ・オーディオストリームをＡＶデコーダ４に供給し、ＰＳＩ／ＳＩ等の付属情報をＣＰＵ８に供給する。
【００１７】
ＡＶデコーダ４は、ビデオストリームに対してデコードを行うビデオデコーダ、及びオーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１８】
映像処理回路５は、ＡＶデコーダ４から映像データを受け取ってＤ／Ａ変換を行い、例えばＲＧＢ映像信号に変換する。音声処理回路６は、ＡＶデコーダ４から出力された音声データを受け取ってＤ／Ａ変換を行い、例えば右（Ｒ）音のアナログ信号及び左（Ｌ）音のアナログ信号を生成したり、主音声及び副音声のアナログ信号を生成したりする。映像処理回路５には例えば液晶ディスプレイが接続され、音声処理回路６にはスピーカが接続される。
【００１９】
ＯＳＤ（オンスクリーンディスプレイ）回路７は、ＣＰＵ８から出力指示された文字情報や色情報に基づく映像データを生成し、この映像データをＡＶデコーダ４から出力される受信映像データに組み込む処理を行う。このＯＳＤ回路７により、メニュー画面やメッセージ画面などが表示される。
【００２０】
リモコン送信機１０（図４（ａ）参照）は、当該放送受信システムに指令を送出するための送信機である。リモコン送信機１０のキーを操作すると、そのキーに対応した指令を意味する信号光（リモコン信号）が図示しない発光部から送出される。図示しないリモコン受光器は、前記信号光を受光し、これを電気信号に変換してＣＰＵ８に与える。
【００２１】
メモリ（例えば、ＥＥＰＲＯＭ等）９には、放送受信のための情報（チャンネルサーチ結果や各ネットワーク内のチャンネル情報とそれに対応している周波数の配置情報等）などが格納される。なお、トランスポートストリームはその一本のストリームの中に複数のチャンネルを構成することができ、このように一つ又は複数のチャンネルを含むトランスポートストリームが複数集まって一つのネットワークを構成する。また、トランスポートストリームには、視聴希望チャンネルの分離に供するためにネットワークやチャンネルについての識別子がつけられている。ネットワークの識別子はネットワークＩＤと呼ばれる。チャンネルの識別子はサービスＩＤで与えられる。トランスポートストリームは、ネットワーク内で送信されている全てのチャンネルのサービスＩＤと、全てのチャンネルに対応した周波数の配置情報を、ＰＳＩ／ＳＩ中のＮＩＴ（Ｎｅｔｗｏｒｋ　Ｉｎｆｏｒｍａｔｉｏｎ　Ｔａｂｌｅ）に持っている。
【００２２】
第２受信装置３１は、アンテナ１１、チューナ１２、デマルチプレクサ（ＤＥＭＵＸ）１３、Ａ（オーディオ）デコーダ１４、及び音声処理回路１５等を備えて成る。これら各要素については、第１受信装置３０における各要素と同様の処理を行うものである。
【００２３】
ＣＰＵ８は、このディジタル放送受信システムにおける全体制御を行うものであるが、特にこの発明にかかる処理として、以下に述べる処理を実行する。
【００２４】
ここで、受信エリアの一例を図２に示す。この図２には、受信ポイントＡ、受信ポイントＢ、受信ポイントＣ、送信局Ｄ及びその受信エリアＧ、送信局Ｅ及びその受信エリアＨ、送信局Ｆ及びその受信エリアＩを示している。なお、図２では、受信エリアＧ，Ｈ，Ｉしか重なっていないが、実際はより多くの受信エリアが重なる場合も考えられる。送信局Ｄ、送信局Ｅ、送信局Ｆは互いに異なる放送事業者系列であるとするが、ネットワークＩＤが送信局Ｄと送信局Ｆとで同値であると仮定する。
【００２５】
図３は受信ポイントＡ、受信ポイントＢ、及び受信ポイントＣにおける送信局Ｄ、送信局Ｅ、送信局Ｆからの放送波の各々の受信強度を示す。第１受信装置３０が受信ポイントＡにおいて通常受信していた経緯があるという仮定のもと、第１受信装置３０を起動した場合、ＣＰＵ８は前回ユーザが視聴していたチャンネル（ラストチャンネル）を受信すべく処理を開始する。信号が受信できない場合、ＣＰＵ８はメモリ９に予め登録されている周波数リスト（物理チャンネルリスト）に基づいてチャンネルサーチ処理を行う。
【００２６】
このチャンネルサーチ結果がその時点で保有していたチャンネルサーチ結果の内容と同一であれば、受信不可の原因が受信障害であるとの判断が行え、異なる場合であれば、受信地域が変わったとの判断が行えることになる。
【００２７】
さて、チューナ２によるチューニングが行われた段階でＴＳ（トランスポートストリーム）を取得できるので、デマルチプレクサ３において必要な情報を分離する。まず、サービスチャンネルの分布変化を確認するために前述したＰＳＩ／ＳＩ（ＮＩＴ）を取得し、サービスリストを生成し、メモリ９に各サービスリスト及び対応した周波数（放送受信のための情報）を記憶する。なお、前記サービスリストに基づいて現在受信している送信局Ｅのサービス一覧を画面表示してユーザに選択させることもできる。例えば、図４（ｂ）に示すように画面表示が行われ、ユーザによるリモコン送信機１０のチャンネルＵＰ／ＤＯＷＮキー操作で色変わり部分を上下移動させ、決定キーが押されたときの色変わり部分のサービスについて受信を行うための処理を行う。
【００２８】
ここでの説明においては、上述のごとく第１受信装置３０が起動されたこととしており（ユーザはテレビ視聴を望み）、第２受信装置３１の動作は必要ないところであるが、この第２受信装置３１においてチャンネルサーチ及び情報分離を実行するための機能部分への通電処理がＣＰＵ８の制御によってなされる。すなわち、第１受信装置３０によるユーザへのテレビ番組提供中において、第２受信装置３１は受信エリアの変化に対応すべく放送受信のための情報の取得更新を行っており、ＣＰＵ８はこの放送受信のための情報（チャンネルサーチ結果、ＮＩＴを取得したときにはサービスリスト及びこれに対応した周波数リスト）をメモリ９に格納する。なお、第１受信装置３０にて視聴中の番組（送信局Ｅの送信番組）が他の送信局から送信されているかどうかについての判断処理を行うようにしてもよい。この判断はＥＩＴ（Ｅｖｅｎｔ　Ｉｎｆｏｒｍａｔｉｏｎ　Ｔａｂｌｅ）に基づいて行うことが可能である。
【００２９】
受信ポイントＡから受信ポイントＢに移動した場合、受信ポイントＢは送信局Ｅより送信局Ｄに近いため受信強度は図３（ａ）から図３（ｂ）のごとく変化する。しかしながら、受信ポイントＡの受信強度は視聴に耐え得る基準（誤り訂正可能範囲）を満たしているため、送信局Ｄからの受信強度の方が高くても送信局Ｅからの放送波を受信する状態を継続することとする。また、このときに、受信エリアが追加されたことのメッセージ或いは現エリア送信局からの受信レベルが低下したこと等を告げるメッセージをＯＳＤ回路７を用いて画面表示することが可能である。
【００３０】
ユーザがリモコン送信機１０等を用いて地域対応切替指令を行うと、ＣＰＵ８はメモリ９からその地における放送受信のための情報を読み出し、チューナ２において受信周波数切替処理を実行させる。
【００３１】
なお、受信ポイントＣに移動した場合には、図３（ｃ）に示すように、送信局Ｄ，Ｅ，Ｆからの受信レベルは略同じとなるが、かかる場合も送信局Ｅからの放送波を受信する状態を継続することとする。ただし、地域対応切替の候補として送信局Ｄと送信局Ｆの二つが存在するため、ユーザによる地域対応切替指令の便宜のために、図４（ｃ）に示すように、選択可能な送信局の情報をリストを表示し、例えば、タッチパネル式で望みの局の箇所に触れると、その送信局からの放送波を受信する処理を実行するようになっていてもよい。なお、前述したように、送信局Ｄ、送信局Ｆは同値のネットワークＩＤによる情報配信を行っていると仮定した場合、受信システム側では二つの送信局Ｄ・Ｆが存在していることの判別が困難になる。よって、その判定基準としてネットワークＩＤに加え、地域を示す符号を利用して受信エリアの判断を行うこととするのがよい（図４（ｃ）参照）。
【００３２】
以上説明した処理のなかで放送受信のための情報の取得更新の詳細を図５のフローチャートに基づいて説明していく。まず、メモリ９からサーチすべき周波数リストを取得する（ステップＳ１）。次に、第１受信装置３０と第２受信装置３１のどちらがユーザへの情報提示に利用されているのかを判断する（ステップＳ２）。第１受信装置３０が利用されている場合は、第１受信装置本来の制御を行う一方で、第２受信装置３１には放送受信のための情報の取得動作を実行させる（ステップＳ３）。すなわち、第２受信装置３１のチューナ１２において前記周波数リストに基づいてチューニングを実行させる。そして、このチューニングが成功したか否かを判断する（ステップＳ４）。成功しなかった場合には、前記周波数リストに従って次の周波数についてステップＳ２から動作を繰り返す。チューニングが成功すれば、デマルチプレクサ１３による情報の分離のための処理を実行し、情報を取得できたかどうかを判断する（ステップＳ５）。ステップＳ５による情報取得が何らかの理由で失敗した場合、前記周波数リストに従って次の周波数についてステップＳ２から動作を繰り返す。情報取得が成功した場合、この取得した情報（その地における放送受信のための情報）を現状の記憶情報と比較し、異なる場合や存在しない場合、情報の更新処理を行う（ステップＳ６）。ここで、情報をシステム起動時にメモリ９から読出して図示しない一時格納メモリに保持し、この一時格納メモリ上の情報との比較を行うようにすれば、ハード的寿命を考慮すべきメモリ９へのアクセス回数を減らすことができる。情報の更新が完了すれば、前記周波数リストに従って次の周波数についてステップＳ２から動作を繰り返す。この様な処理ループを繰り返すことで受信情報の変化やユーザによる使用受信装置の切り替えなどにも対応でき、安定した受信情報取得とユーザへの情報提示が可能となる。なお、ステップＳ７に進んだときには、第２受信装置３１においては本来の制御が実行され、ステップＳ４〜ステップＳ６と同様の処理（その地におせる放送受信のための情報の取得更新）が第１受信装置３０において、第２受信装置３１のために行われる。
【００３３】
なお、上記の例では、第１受信装置３０と第２受信装置３１とが互いに相手のために、その地における放送受信のための情報の取得更新を行うこととしたが、第２受信装置３０がチューナ２及びデマルチプレクサ３を２セット具備し、一方のセットがその地の放送受信のための情報の取得更新を担うこととする構成としてもよいものである。
【００３４】
【発明の効果】
以上説明したように、この発明であれば、ユーザが地域対応切替指令を行ったときには、ユーザへの情報提示に供していない方の受信部にて事前に取得しておいたその地における放送受信のための情報に基づいて直ちに受信周波数切替処理が行われることになる。すなわち、ユーザの地域対応切替意志を尊重しつつ切替指令があったときには即座に地域対応切替が行えることになる。
【図面の簡単な説明】
【図１】この発明の実施形態の移動体用ディジタル放送受信装置を示したブロック図である。
【図２】受信エリアの一例を示した説明図である。
【図３】各エリアの受信強度を例示した説明図である。
【図４】選局時の操作及び操作画面内容を示した説明図である。
【図５】処理内容を示したフローチャートである。
【符号の説明】
１・１１　　アンテナ
２・１２　　チューナ
３・１３　　デマルチプレクサ（ＤＥＭＵＸ）
４・１４　　ＡＶデコーダ
７　　ＯＳＤ回路
８　　ＣＰＵ
９　　メモリ
【図１】
2004064590.tif 000003
【図２】
2004064590.tif 000004
【図３】
2004064590.tif 000005
【図４】
2004064590.tif 000006
【図５】
2004064590.tif 000007